(57)【特許請求の範囲】
【請求項１】
少なくとも電気光学パネルと、前記電気光学パネルを照射するバックライトとを、ケースに収納した電気光学装置であって、
前記バックライトは、導光板と、前記導光板の一辺に対向して配置された光源とを有し、
前記ケースは、前記電気光学パネルの側面を囲う外壁と、前記外壁に沿って前記ケース内側に一回り小さく形成された前記導光板を保持する内壁とを有し、
平面視において、前記内壁によって囲まれた領域には、前記電気光学パネルの表示領域と重なるように前記導光板が配置され、
前記内壁と前記外壁とに挟まれた領域には、前記導光板を囲うように衝撃吸収部材が配置され、
前記電気光学パネルは、前記導光板の上面側に重ねられるとともに、対応する周縁部が前記衝撃吸収部材の上面に固定され、
前記衝撃吸収部材の下面は、前記ケースにおいて前記外壁と前記内壁とを接続する底面部に固定されていることを特徴とする電気光学装置。
【請求項２】
前記内壁の高さは、前記導光板の厚さと同等に設けられ、
前記内壁における前記導光板と対向する面には、光を反射する反射シートが設けられていることを特徴とする請求項１に記載の電気光学装置。
【請求項３】
前記内壁の上面、および、前記衝撃吸収部材の上面は、黒色をなすことを特徴とする請求項１または２に記載の電気光学装置。
【請求項４】
前記導光板と、前記電気光学パネルとの間には、
拡散シートと、
２枚のプリズムシートとが配置され、
前記ケースの底面部の裏側には、前記導光板を覆う反射シートがさらに配置されていることを特徴とする請求項１〜３のいずれか一項に記載の電気光学装置。
【請求項５】
前記導光板において前記光源と対向する一辺と隣り合う２辺には、それぞれ複数の凸形状が設けられ、
前記ケースの内壁における前記２辺に対応する面には、前記複数の凸形状を挿入するための複数の孔がそれぞれ設けられていることを特徴とする請求項１〜４のいずれか一項に記載の電気光学装置。
【請求項６】
前記ケースの底面部と、前記導光板との間には、
前記光源としての複数のＬＥＤが実装された回路基板が配置され、
前記複数のＬＥＤは、前記導光板の前記光源と対向する一辺に形成された複数の凹部に収納され、
前記導光板と前記回路基板とは、前記導光板において前記複数の凹部を形成する断続した島部分に設けられた接着層によって接着されることを特徴とする請求項１〜５のいずれか一項に記載の電気光学装置。
【請求項７】
請求項１〜請求項６のいずれか一項に記載の電気光学装置を搭載することを特徴とする電子機器。
【発明の詳細な説明】
【０００１】
【発明の属する技術分野】
本発明は、例えばパーソナルコンピュータ、携帯電話、ディジタルカメラなどに用いられる、電気光学装置及び電子機器に関する。
【０００２】
【従来の技術】
近年、携帯電話、携帯型パーソナルコンピュータ等の携帯情報機器は、携帯の利便性等から一層の薄型化・薄肉化が求められており、これに伴い、これら携帯情報機器を構成する液晶装置等の電気光学装置も薄型化・薄肉化することが必要とされている。また、このような携帯情報機器は、性質上、衝突・落下等による衝撃を受けやすい環境におかれることが多いため、薄型化・薄肉化とともに耐衝撃性についても求められている。
【０００３】
電気光学装置の一例である透過型液晶装置は、電気光学パネルの一例である液晶パネルと、液晶パネルに隣接して配置されたバックライトとを有する。
【０００４】
液晶パネルは、一対の基板と、基板外周部に沿って一対の基板間に形成されたシール材と、これら一対の基板及びシール材により囲まれた領域に配置された電気光学物質としての液晶と、液晶を駆動するための駆動回路とを有する。駆動回路を構成する半導体装置は、例えば、液晶パネルを構成する一対の基板の一方の基板に直接実装される、あるいは、可撓性基板上に実装され、この可撓性基板が液晶パネルを構成する一対の基板の一方の基板に電気的に接続される構成となっている。
【０００５】
バックライトは、導光板と、導光板と重ねられるシート状光学部品と、導光板の側方から導光板に光を入射する光源部とを有している。導光板は、平面的に、液晶パネルの液晶が挟持された領域、すなわちほぼ表示領域に相当する領域よりもやや大きい形状を有している。
【０００６】
液晶装置においては、バックライトと液晶パネルはそれぞれほぼ矩形状を有しており、バックライト及び液晶パネルはケースに収納され、液晶パネルはケースに両面接着テープなどにより接着固定されている。この構造の中でも特に両面接着テープは液晶装置の総厚に直接影響を与えるものであるため、きわめて薄い材料で構成されている。
【０００７】
【発明が解決しようとする課題】
しかしながら、上述の液晶装置構造においては、液晶パネルはケースに接着固定されており、接着テープ自体が薄いものであるため、薄型化・薄肉化の面では有効であるが、ケースに衝撃をうけた場合、液晶パネルを構成する基板に割れたり欠けたりする損傷が発生する問題があった。また、液晶パネルに実装された半導体装置、または、可撓性基板が剥がれたりしてしまうという問題があった。
【０００８】
本発明はこのような問題に鑑みてなされたものであり、薄型化・薄肉化の要請に応えるとともに耐衝撃性の高い電気光学装置及び電子機器を提供することを目的とする。
【０００９】
【課題を解決するための手段】
上記課題を解決するために、本発明の電気光学装置は、少なくとも電気光学パネルと、電気光学パネルを照射するバックライトとを、ケースに収納した電気光学装置であって、バックライトは、導光板と、導光板の一辺に対向して配置された光源とを有し、ケースは、電気光学パネルの側面を囲う外壁と、外壁に沿ってケース内側に一回り小さく形成された導光板を保持する内壁とを有し、平面視において、内壁によって囲まれた領域には、電気光学パネルの表示領域と重なるように導光板が配置され、内壁と外壁とに挟まれた領域には、導光板を囲うように衝撃吸収部材が配置され、電気光学パネルは、導光板の上面側に重ねられるとともに、対応する周縁部が衝撃吸収部材の上面に固定され、衝撃吸収部材の下面は、ケースにおいて外壁と内壁とを接続する底面部に固定されていることを特徴とする。
【００１０】
この構成によれば、内壁によって囲まれた領域において表示領域と重なるように導光板を配置し、内壁と外壁とに挟まれた領域には、導光板を囲うように衝撃吸収部材を配置するとともに、電気光学パネルを衝撃吸収部材を介してケースに固定することによって、薄型化および薄肉化の要請に応えるとともに耐衝撃性の高い電気光学装置を提供することができる。
【００１１】
本発明に係る電気光学装置によれば、内壁の高さは、導光板の厚さと同等に設けられ、内壁における導光板と対向する面には、光を反射する反射シートが設けられていることが好ましい。
また、内壁の上面、および、衝撃吸収部材の上面は、黒色をなすことが好ましい。
また、導光板と、電気光学パネルとの間には、拡散シートと、２枚のプリズムシートとが配置され、ケースの底面部の裏側には、導光板を覆う反射シートがさらに配置されていることが好ましい。
また、導光板において光源と対向する一辺と隣り合う２辺には、それぞれ複数の凸形状が設けられ、ケースの内壁における２辺に対応する面には、複数の凸形状を挿入するための複数の孔がそれぞれ設けられていることが好ましい。
また、ケースの底面部と、導光板との間には、光源としての複数のＬＥＤが実装された回路基板が配置され、複数のＬＥＤは、導光板の光源と対向する一辺に形成された複数の凹部に収納され、導光板と回路基板とは、導光板において複数の凹部を形成する断続した島部分に設けられた接着層によって接着されることが好ましい。
【００１２】
本発明に係る電気光学装置の一の形態によれば、前記電気光学パネルが、有効表示領域とその周辺の周辺領域とを有し、前記衝撃吸収部材は、前記周辺領域の少なくとも一部に対応して設けられ、前記有効表示領域に対応するように、前記光学パネルの裏面に配置された導光板を更に具備することを特徴とする。
【００１３】
このような構成によれば、有効表示領域に対応するように導光板を設けたことにより周辺領域に対する光漏れを防止することができる。例えば遮光テープや遮光膜が不要となる。例えば遮光テープの厚みが削減されると電気光学装置の薄型化・薄肉化を図ることができる。
【００１４】
本発明に係る電気光学装置の一の形態によれば、前記衝撃吸収部材の接着部は、黒又はこれに近似する色であることを特徴とする。
【００１５】
このような構成によれば、衝撃吸収部材の黒又はこれに近似する色を有する面によって導光板から拡散された光の吸収効果が高められるので、従来電気光学装置に挿入されていた遮光テープは不要となり、該遮光テープの厚みが削減された分電気光学装置の薄型化・薄肉化を図ることができる。
【００１６】
本発明に係る電気光学装置の一の形態によれば、前記衝撃吸収部材と前記導光板との間には、前記導光板と対面する面が光を反射する壁部が設けられていることを特徴とする。
【００１７】
このような構成によれば、導光板の側面に拡散された光を再び導光板内に反射することが可能となるため光の損失を抑えることが可能となり、また、電気光学装置内のスペースを効率的に利用することができることによって、電気光学装置の薄型化・薄肉化を図ることができる。
【００１８】
本発明に係る電気光学装置の一の形態によれば、前記保持部と前記衝撃吸収部材との間に接着層が設けられていることを特徴とする。
【００１９】
このような構成によれば、電気光学装置を容易に組み立てることが可能となり、また、衝撃吸収部材が保持部と接着することによって確実に保持されるため、耐衝撃性の高い電気光学装置を得ることができる。
【００２０】
本発明に係る電子機器は、上記の電気光学装置が搭載されていることを特徴とする。
【００２１】
このような構成によれば、上記の電気光学装置は、パーソナルコンピュータや、携帯電話、ディジタルカメラ、液晶テレビ、電子手帳、ワードプロセッサ、テレビ電話及びタッチパネルを備えた機器などの電子機器に搭載することが可能である。
【００２２】
本発明に係る接続基板は、駆動部を有し、外部と電気的に接続する第１接続部に列設された複数の配線を有する第１のフレキシブル基板と、前記第１の基板と物理的に分離され、外部と電気的に接続する第２接続部に、前記第１接続部の配線列設方向とほぼ直交する方向に列設された複数の配線を有する第２のフレキシブル基板と、前記第１の基板及び前記第２の基板のそれぞれにほぼ４５度の角度をなすように接合し、前記第１接続部と前記第２接続部とを電気的に接続する配線が表面に形成された第３のフレキシブル基板とを具備することを特徴とする。
【００２３】
このような構成によれば、配線方向がほぼ直交する第１の接続部と第２の接続部をそれぞれ有する第１の基板と第２の基板とがフレキシブルな第３の基板によって接合され、第３の基板を一定の方向に曲げることによって、第１接続部の配線方向と第２接続部の配線方向がほぼ平行になるため、電気光学装置内のスペースを効率的に利用することができ、電気光学装置の薄型化・薄肉化を図ることができる。
【００２４】
本発明に係る電気光学装置は、接続基板と、前記外枠部材の少なくとも一辺に形成され、前記接続基板を保持する凹み部分と、を更に具備することを特徴とする。
【００２５】
このような構成によれば、上記電気光学装置に上記接続基板を備え付けることにより、電気光学装置内のスペースを効率的に利用することができるため、電気光学装置の薄型化・薄肉化を図ることができる。
【００２６】
本発明に係る電気光学装置の一の形態によれば、前記接続基板は、前記第３のフレキシブル基板が前記外枠部材の前記凹み部分によって保持されることを特徴とする。
【００２７】
このような構成によれば、第３のフレキシブル基板が下向きの凹み部分から下方にはずれるようなことが少なくなり、これによりはずれた際に例えば作業台と外枠部材との間に第３のフレキシブル基板が挟まれて断線不良を起こすようなことはなくなる。また、外枠部材の実質的な面積が大きくなるので、電気光学装置全体の剛性が向上する。  このような構成によれば、第３のフレキシブル基板が外枠部材に保持されることにより確実に接続されることとなり、電気光学装置の耐衝撃性が高められる。
【００２８】
本発明に係る電気光学装置の一の形態によれば、前記第３のフレキシブル基板の幅は少なくとも前記凹み部分では前記第２接続部の幅よりも小さいことを特徴とする。
【００２９】
本発明に係る電気光学装置の保護部材は、表示基板が保持される外枠と、前記外枠の内側に固着され、衝撃吸収材および光反射板が保持される底面枠と、前記底面枠の内側に固着され、導光板を保持する内枠と、を具備し、前記外枠の一辺の少なくとも一部分に凹み部分が形成されていることを特徴とする。
【００３０】
このような構成によれば、本発明に係る電気光学装置は、外枠、底面枠、内枠によって保持されるため、外枠、内枠、底面枠のそれぞれを強固に固着することによって耐衝撃性の高いものとすることが可能である。
【００３１】
本発明に係る電気光学装置は、電気光学装置の保護部材が装着されることを特徴とする。
【００３２】
このような構成によれば、電気光学装置は強固な保護部材によって保護されることとなるため、電気光学装置の耐衝撃性が高められる。
【００３３】
【発明の実施の形態】
（第１実施形態）
以下、本発明による電気光学装置の一例としてアクティブ型の液晶装置について説明する。
【００３４】
まず、図１から図３を用いて液晶装置の構造について説明する。
【００３５】
図１は本発明に係る液晶装置の分解斜視図を示す。液晶装置１は、液晶パネル１００と、液晶パネル１００に隣接して配置されたバックライト１１０と、バックライト１１０を固定するケース８０と、ケース８０に保持された衝撃吸収部材１１７と、液晶パネル１００及び液晶パネルに接続されたフレキシブル基板３５とからなる。
【００３６】
図２は液晶装置の断面図を示したものである。液晶パネル１００は、所定の間隙をおいて対向配置されたカラーフィルタ基板４０及びアレイ基板４５と、両基板を接着する基板外周部に沿って形成されたシール材３０と、両基板４０、４５及びシール材３０により形成された領域に挟持された電気光学材料としての液晶５０と、カラーフィルタ基板４０及びアレイ基板４５にそれぞれ隣接して、これら両基板を挟むように配置された一対の偏光板９０及び９１とから構成されている。本実施形態においては、液晶５０として９０度ねじれのネマティック液晶を用い、一対の偏光板９０及び９１をそれぞれの偏光軸が直交するように配置し、ポジ表示の液晶装置１とした。
【００３７】
バックライト１１０は、アレイ基板４５に隣接して配置されている。バックライト１１０は、光源であるＬＥＤ１１１と、導光板２１０と、反射シート１１６と、拡散シート１１４、プリズムシート１１５ａ及び１１５ｂ、反射シート１１２とから構成される。バックライト１１０からの光は、液晶パネル１００に対して照射される。
【００３８】
図３は、液晶装置１に装着されるケースを示した斜視図である。（ａ）は図１における方向から見た斜視図であり、（ｂ）は（ａ）と上下反対方向から見た斜視図であり、（ｃ）は内壁の厚さを示した外枠部材の断面図である。
【００３９】
液晶装置１に装着されるケース８０は、外壁２０、底面部２１、内壁２２及び内壁２２によって象られた窓部２３からなるものである。図２及び図３を用いて本発明の液晶装置１の構造を説明する。
【００４０】
外壁２０はケース８０の外形を象ったものであり、装着部２４、凹部２５とを有する。装着部２４は、後述するフレキシブル基板３５を装着するため外壁２０の面２０ａの中央に形成される。また、保持部としての凹部２５は、外壁２０の面２０ｂ上に設けられ、外壁２０の辺について、装着部２４と同一の辺に形成される。凹部２５は後述のフレキシブル基板３５の連結基板１１を保持する。このように保持されることにより、液晶装置１内のスペースを有効に利用できる他、連結基板１１が確実に保持されるとともに、凹部２５をこのように形成することによりその分外壁２０を厚くすることが可能となるため、高い耐衝撃性が得られる。
【００４１】
底面部２１は外壁２０の内側に固着されるように設けられており、一方の面２１ａでは衝撃吸収部材１１７を保持し、他方の面２１ｂでは反射部材としての反射シート６を保持する。
【００４２】
衝撃吸収部材１１７は、外壁２０と後述する内壁２２との間に隙間なく挿入され、上面１１７ａ、下面１１７ｂにはそれぞれ接着層１１７ｃ、１１７ｄが設けられている。上面１１７ａに設けられた接着層１１７ｃは液晶パネル１００と接着され、下面１１７ｂに設けられた接着層１１７ｄはこの底面部２１の面２１ａと接着される。また、上面１１７ａは黒く塗られている。反射シート１１６は、導光板２１０から漏れてくる光を反射して再び導光板２１０内に光を戻すために設けられている。この反射シート１１６は窓部２３がカバーされるように面２１ｂに例えば接着剤などにより接着される。このような接着方法によれば、組み立てが容易であるほか、液晶装置１内のスペースを効率的に利用することができるという利点があり、また、衝撃吸収部材１１７がケース８０と接着することによって確実に保持されるため、高い耐衝撃性を確保できる。
【００４３】
内壁２２は底面部２１の内側に固着され、内壁２２の下面２２ｂが底面部２１の底面と一致するように設けられている。また、内壁２２は導光板２１０を保持する。内壁２２には導光板２１０を保持するために複数の孔が設けられている。導光板２１０は側面に設けられた複数の突出部が、これらの孔にそれぞれ挿入されることによって保持される。また、内壁２２の高さｈと導光板２１０の厚さａとはほぼ一致しており、内壁の上面２２ａ、下面２２ｂと導光板２１０の上面３ａ、下面３ｂとが一致するように導光板２１０が保持される。これにより、導光板２１０上に、拡散シート１１４、２枚のプリズムシート１１５ａ及び１１５ｂ、内壁の上面２２ａに例えばピン等で、拡散シート１１４、２枚のプリズムシート１１５ａ及び１１５ｂが固定配置されることが可能となり、液晶装置１内のスペースを有効に利用することができる。さらに、内壁２２の上面２２ａは黒く塗られており、内面２２ｃには、光を反射する反射シート２２ｄが設けられている。この反射シート２２ｄは、導光板２１０の側面に拡散された光を再び導光板内に反射し、光の損失を抑えるものである。このときの内壁２２の高さｈは約１ｍｍである。
【００４４】
液晶パネル１００の張出し部２ａはケースには支持されず、衝撃吸収部材１１７に支持される。ケースに衝撃が加わっても、衝撃吸収部材が衝撃を吸収するので、液晶パネル１００を構成する基板の損傷や回路基板の剥がれ、回路素子の剥がれ等の発生を防止することが出来る。
【００４５】
次に、液晶パネル１００における有効表示領域と、導光板２１０との位置関係について図４及び図５を用いて説明する。
【００４６】
図４に示すように、液晶装置１は、第１電極として、複数の第１配線としての走査線５２が行方向（Ｘ方向）に形成され、複数の第２配線としてのデータ線５１が列方向（Ｙ方向）に形成されている。各走査線５２は、上述したカラーフィルタ基板上に配置され、電気的に接続された走査線駆動回路５７により駆動される。一方、各データ線５１にはスイッチング素子としてのＴＦＤ素子５６を介して画素電極６６が電気的に接続しており、これら各データ線５１、ＴＦＤ素子５６及び画素電極６６は上述したアレイ基板４５上に配置され、データ線駆動回路５８により駆動される。液晶装置１では、対向する走査線及び画素電極、これらに挟持される液晶５０とにより画素が形成される。そして、各画素に印加する電圧を選択的に変化させることによって液晶の光学特性を変化させ、バックライト１１０から照射される光は各画素のこの液晶５０を透過することによって変調される。
【００４７】
本実施形態における液晶装置１は、図５に示すように、画面上に画像を表示する画素が形成される画素領域としての表示画素領域７４、画素が形成されない周辺領域としてのクリアランス領域７３を有している。
【００４８】
表示画素領域７４は、図１上の点線または図４の一点鎖線で囲まれた領域に相当し、表示に関与する画素が形成されている領域である。アレイ基板４５面内においては、この表示画素領域は、表示画素電極形成領域に相当する。本発明において、カラーフィルタ基板４０上には遮光膜は形成されておらず、従って、そのまま表示画素領域７４に画像が表示される。
【００４９】
クリアランス領域（周辺領域）７３は、図上、太い実線に囲まれた内部が白地に図示されている領域に形成された、シール材３０表示画素領域７４との間の領域を指し、この領域には画素は形成されていない。アレイ基板４５面内においては、このクリアランス領域（周辺領域）７３には画素電極は形成されていない。本実施形態においては、クリアランス領域（周辺領域）７３の幅、すなわち表示画素領域７４の外縁部とシール材３０との距離を３００μｍとした。クリアランス領域（周辺領域）７３は表示画素領域７４を囲むように配置されており、後述する遮光手段が形成されている。言い換えると、表示画素領域７４を囲むように遮光手段が形成されている。
【００５０】
図５に示すように、シール材３０と表示画素領域７４の外縁部との間のクリアランス領域（周辺領域）７３の一部に、内壁２２および衝撃吸収部材１１７が配置されている。内壁２２の上面２２ａ及び衝撃吸収部材１１７の上面１１７ａは上述したように黒く塗られており、従来における遮光膜と同様の効果が発揮されることとなる。これにより導光板２１０から拡散された光の吸収効果が高められるので、従来挿入されていた遮光テープは不要となり、該遮光テープの厚みが削減された分液晶装置１の薄型化・薄肉化を図ることができる。これら内壁２２および衝撃吸収部材１１７は液晶パネル１００がケース８０に装着される際に配置される。
【００５１】
次に、バックライトについて説明する。
【００５２】
図１及び図２に示すように、バックライト１１０は、液晶パネル１００の第２基板２側に光出射面となる第１面２１１ａを向けるほぼ矩形の導光板２１０と、液晶装置１として組み立てた時に導光板２１０の第１凹部２１０ｂに収納される回路基板１０上に配置されたＬＥＤ１１１からなる光源と、液晶パネル１００と導光板２１０との間に導光板２１０から液晶パネル１００に向かって順に配置された矩形状のシート状光学部品としての拡散シート１１４と２枚のプリズムシート１１５ａ及び１１５ｂと、導光板２１０の光出射面となる第１面２１１ａと対向する第２面２１１ｂと隣り合って配置された矩形状のシート状光学部品としての反射シート１１６とを有する。
【００５３】
導光板２１０は、導光板２１０に対応して配置された液晶パネル１００に対し、ＬＥＤ１１１から出射された光を液晶パネル１００の面内に均一に照射するためのものであり、アクリル樹脂やポリカーボネートなどから形成される。反射シート１１６は、導光板２１０から出た光を液晶パネル１００側へ反射させるためのものである。拡散シート１１４は、表示画面内の光の輝度をより均一化させるためのものである。２枚のプリズムシート１１５ａ及び１１５ｂは、出射光の配向角を調整し、正面の輝度を向上させるためのものである。
【００５４】
以下に、バックライト１１０を構成する導光板２１０の構成について図１、図２及び図６を用いて詳細に説明する。
【００５５】
導光板２１０は、液晶パネル１００の表示領域に対して光を出射する導光領域２１０ｄと、ＬＥＤ１１１を収納する４つの第１凹部２１０ｂが設けられたＬＥＤ領域２１０ｆとを有する。
【００５６】
導光板２１０の導光領域２１０ｄはほぼ液晶パネル１００の表示領域に対応している。導光板２１０の一辺２１２ａに直交する二辺２１２ｂ及び２１２ｃには、導光領域２１０ｄ部分から突出する突出部２１０ｅが、各辺５つづつ設けられている。これら各突出部２１０ｅは、内壁２２に設けられた対応する孔に挿入され、固定される。突出部２１０ｅはほぼ等間隔に配置されている。図６（ｄ）において、導光領域２１０ｄにおける導光板の厚さａは約１ｍｍであり、導光板２１０を支持する内壁２２の高さとほぼ等しい。
【００５７】
導光板２１０を内壁２２に固定したときに、上述した表示画素領域７４、すなわち有効表示領域に光を射出するように導光板２１０を設置することができる。このように、表示画素領域７４に対応するように導光板２１０を設けたことによりクリアランス領域７３に対する光漏れを防止することができる。また、例えば遮光テープや遮光膜が不要となり、これら遮光テープ等の厚みが削減されることにより電気光学装置の薄型化・薄肉化を図ることができる。さらに、内壁２２の内面２２ｃに設けられた反射シート２２ｄによって導光板２１０の外に漏れた光を導光板２１０内に戻すことができる。
【００５８】
導光板２１０のＬＥＤ領域２１０ｆは、液晶装置１として組み立てた時に、第２面２１１ｂ側に第１接着層２１３を介して導光板２１０と回路基板１０とを接着固定して回路基板１０を支持する５つの第２支持部２１０ｈと、隣り合う第２支持部２１０ｈ間に配置されたＬＥＤ１１１が収納される４つの第１凹部２１０ｂとを有する。第１凹部２１０ｂは、導光板２１０の第２面２１１ｂ側に位置する。
【００５９】
本実施形態においては、ＬＥＤ１１１の高さ、すなわち導光板２１０の厚さ方向に沿ったＬＥＤ１１１の寸法が約１ｍｍと、導光領域２１０ｄにおける導光板２１０の厚さとほぼ同じため、第１凹部２１０ｂは導光板２１０を貫通する孔状となっている。このようにＬＥＤ１１１を収納する第１凹部を導光板に設けることにより、導光板２１０から突出した状態でＬＥＤ１１１を設ける必要がなく、液晶装置１を小型化することができる。
【００６０】
図７に示すように、第１接着層２１３（図上、斜線で埋められた部分）は、導光板２１０のＬＥＤ領域２１０ｆの第２面２１１ｂ側に位置する５つの第２支持部２１０ｈに対応して形成されている。第１接着層２１３としては両面テープが用いられる。
【００６１】
本実施形態においては、５箇所に設けられた第１接着層２１３によって、導光板２１０と回路基板１０とが接着される。例えば、第１凹部２１０ｂを複数設けず、導光板２１０の一辺２１２ａに沿った細長い凹部を１つ設け、この凹部に４つのＬＥＤが配置されるように構成することも可能であるが、凹部を複数設けることにより、第２支持部２１０ｈを３つ以上設けることができ、導光板２１０と回路基板１０との接着箇所及び接着面積を大きくすることができ、液晶装置１に衝撃が加わっても、回路基板１０が導光板２１０から剥がれにくい。
【００６２】
特に、液晶装置１を駆動した場合、ＬＥＤから発せられる熱により第１接着層自体の接着強度が落ちやすい場合においては、導光板と回路基板との接着箇所を増やし、接着面積を大きくすることは有効である。
【００６３】
次に、図１、図８及び図９を用いてＬＥＤのランドが形成されたフレキシブル基板３５について説明する。
【００６４】
図８に示すようにフレキシブル基板３５は、本体基板１７、連結基板１１、接続基板１２からなる。
【００６５】
本体基板１７は、本体部１６、第１接続部１３からなる。液晶パネル１００のアレイ基板４５上の駆動部１５から伝達される信号は、第１接続部１３を介して本体部１６で処理されたものである。第１接続部１３には図８のＸ方向の向きに複数の配線が形成されている。本体基板１７は、本体基板１７上に設けられた第１接続部１３がアレイ基板４５上の図示しない接続部と電気的に接続される。
【００６６】
連結基板１１は、本体基板１７及び接続基板１２とそれぞれほぼ４５度の角度をなして接合され、連結基板１１の表面上には本体部１６からの信号を伝達するための配線１１ａが形成されている。
【００６７】
接続基板１２は、連結基板１１上に形成された配線と接続し外部からの信号を伝達するための配線が設けられた第２接続部１４が設けられている。第２接続部１４上には、図８のＹ方向の向きに複数の配線が形成されている。また、図９に示すように第２接続部１４は回路基板１０と接続している。
【００６８】
また、接続基板１２が外部と接続する際、連結基板１１を図９の矢印の方向に曲げることにより、接続基板１２の向きが９０度変化することになる。この結果第２接続部１４に形成された配線の方向と第１接続部１３に形成された配線の方向が一致することになる。また、連結基板１１の幅１１Ｄは第２接続部１４の幅１４Ｄよりも小さいため、液晶装置１内のスペースを効率的に利用することができる。
【００６９】
以上のように、液晶装置１内のスペースを効率的に利用することにより液晶装置１の薄型化・薄肉化を図ることができ、また、衝撃吸収部材１１７を設けるスペースも確保される。この衝撃吸収部材１１７を設けることによって外部からの衝撃を緩和することが可能となるため、高い耐衝撃性を有することとなる。また、ＬＥＤのランドであるフレキシブル基板３５の耐衝撃性の連結基板１１のみを曲げることによって接続基板１２及び本体基板１７は確実な接続を果たすことが可能となり、衝撃によって接続が断絶されにくくなる。また、連結基板１１上に形成された配線は上記の凹部２５によって保持されることとなるが、このとき凹部２５と接する接地面を狭くすることによって、接地面からの衝撃により連結基板２５上に形成された配線が断線してしまうことを抑止できる。これにより、耐衝撃性の高い液晶装置が得られることになる。
【００７０】
（モバイル型パーソナルコンピュータ）
図１０は本発明に係る電子機器の一実施形態であるモバイル型のパーソナルコンピュータ３１０を示している。ここに示すコンピュータ３１０は、キーボード３１０ｂを備えた本体部３１０ａと、液晶表示ユニット３１０ｃとから構成されている。液晶表示ユニット３１０ｃは外枠に液晶装置が組み込まれてなり、この液晶装置は、例えば、上述した実施形態に示した液晶装置１を用いて構成できる。
【００７１】
（携帯電話機）
図１１は、本発明に係る電子機器の他の実施形態である携帯電話機３１１を示している。ここに示す携帯電話機３１１は、複数の操作ボタン３１１ａの他、受話口３１１ｂ、送話口３１１ｃを有する外枠に、液晶装置が組み込まれてなる。この液晶装置は、例えば上述した実施形態に示した液晶装置１を用いて構成できる。
【００７２】
（ディジタルウォッチ）
図１２は、本発明に係る電子機器の他の実施形態であるディジタルウォッチを示している。ここに示すディジタルウォッチ３１２は、本体部３１２ａ、複数の操作ボタン３１２ｂの他、表示部３１２ｃから成り立っている。操作ボタン３１２ｂは本体部３１２ａの外枠３１２ｄに設置されており、表示部３１２ｃは本体部の外枠３１２ｄに組み込まれている。この表示部３１２ｃには、例えば上述した実施形態に示した液晶装置１を用いて構成できる。
【００７３】
（ディジタルスチルカメラ）
図１３は、本発明に係る電子機器の更に他の実施形態であるディジタルスチルカメラ３１３を示している。通常のカメラは、被写体の光像によってフィルムを感光するのに対し、ディジタルスチルカメラは、被写体の光像をＣＣＤ（Ｃｈａｒｇｅ  Ｃｏｕｐｌｅｄ  Ｄｅｖｉｃｅ）などといった撮像素子により光電変換して撮像信号を生成するものである。
ここで、ディジタルスチルカメラ３１３のケースの背面には、液晶装置が設けられ、ＣＣＤによる撮像信号に基づいて表示を行う構成となっている。このため、液晶装置は、被写体を表示するファインダとして機能する。また、ケースの前面側３１３ａ（図１３に示す構造の裏面側）には、光学レンズやＣＣＤなどを含んだ受光ユニット３１３ｂが設けられている。液晶装置は、例えば上述した実施形態に示した液晶装置１を用いて構成できる。撮影者は、液晶表示装置に表示された被写体を確認して、シャッタボタン３１３ｃを押下して撮影を行う。
【００７４】
（タッチパネル）
図１４は液晶装置が搭載されたタッチパネルを備えた機器３１４である。タッチパネルを備えた機器３１４は液晶装置１を搭載しており、液晶装置１の一部を構成する液晶パネル１００により表示が行われる液晶表示領域３１４ａと、図面上この表示部３１４ａの下部に位置する入力用シート３１４ｂが配置された第１入力領域３１４ｃとを有している。液晶装置１は矩形状の液晶パネル１００と矩形状の入力パネルとしてのタッチパネルとが平面的に重なり合う構造を有しており、タッチパネルが液晶パネル１００よりも大きく、タッチパネルは液晶パネル１００の一端部から突き出した形状となっている。
【００７５】
液晶表示領域３１４ａ及び第１入力領域３１４ｃにはタッチパネルが配置されており、液晶表示領域３１４ａに対応する領域も、第１入力領域３１４ｃと同様に入力操作可能な第２入力領域３１４ｄとして機能する。タッチパネルは、液晶パネル１００側に位置する第２面とこれと対向する第１面とを有しており、第１面の第１入力領域３１４ｃに相当する位置には入力用シート３１４ｂが貼られている。入力用シート３１４ｂにはアイコン３１４ｅ及び手書き文字認識領域３１４ｆを識別するための枠が印刷されており、第１入力領域３１４ｃにおいては、アイコン３１４ｅの選択や文字認識部３１４ｆでの文字入力を、入力用シート３１４ｂを介してタッチパネルの第１面を指やペンなどの入力手段で荷重をかけることにより行い、データ入力などを実施することができる。一方、第２入力領域３１４ｄにおいては、液晶パネル１００の像を観察することができるほか、後述する液晶パネル１００に例えばモードを表示させ、この表示されるモードの選択をタッチパネルの第１面を指やペンで荷重をかけることによってデータ入力などを実施することができる。
【００７６】
（電卓）
図１５は本発明に係る電子機器の他の実施形態である電卓を示している。ここに示す電卓３１５は、複数の操作ボタン３１５ａを有する外枠に、表示部３１５ｂとして液晶装置が組み込まれてなる。この液晶装置は、例えば上述した実施形態に示した液晶装置１を用いて構成できる。
【００７７】
（液晶テレビ）
図１６は本発明に係る電子機器の一実施形態である液晶テレビを示している。ここに示す液晶テレビ３１６は、本体部３１６ａと、画面３１６ｂとから構成されている。画面３１６ｂは外枠３１６ｃに液晶装置が組み込まれてなり、この液晶装置１は、例えば上述した実施形態に示した液晶装置を用いて構成できる。
【００７８】
（プロジェクタ）
図１７は、プロジェクタの構成例を示す平面図である。  図に示されるように、プロジェクタ３１７の内部には、ハロゲンランプ等の白色光源からなるランプユニット３１７ａが設けられている。このランプユニット３１７ａから射出された投射光は、ライトガイド３１７ｂ内に配置された４枚のミラー３１７ｃ及び２枚のダイクロイックミラー３１７ｄによってＲＧＢの３原色に分離され、各原色に対応するライトバルブとしての液晶装置１Ｒ、１Ｂ及び１Ｇに入射される。
【００７９】
液晶装置１Ｒ、１Ｂ及び１Ｇは、上述した液晶装置１であり、駆動用ＩＣを介して供給されるＲ、Ｇ、Ｂの原色信号でそれぞれ駆動されるものである。これらの液晶装置によって変調された光は、ダイクロイックプリズム３１７ｅに３方向から入射される。このダイクロイックプリズム３１７ｅにおいては、Ｒ及びＢの光が９０度に屈折する一方、Ｇの光が直進する。したがって、各色の画像が合成される結果、投射レンズ３１７ｆを介して、スクリーンなどにカラー画像が投射されることとなる。
【００８０】
また、本発明に係る電子機器としては、上記の例の他に、ビューファインダ型、モニタ直視型のビデオテープレコーダ、カーナビゲーション装置、ページャ、電子手帳、ワードプロセッサ、ワークステーション、テレビ電話機、ＰＯＳ端末機などがあげられる。そして、これらの各種電子機器の表示部として本発明に係る液晶装置を用いることができる。
【図面の簡単な説明】
【図１】本実施形態に関わる液晶装置の概略分解斜視図である。
【図２】本実施形態に関わる液晶装置の概略断面図である。
【図３】本実施形態に関わるケースの概略分解斜視図である。
【図４】本実施形態に関わる液晶装置の概略等価回路図である。
【図５】本実施形態に関わる液晶装置の平面図である。
【図６】図６（ａ）は第１実施形態における第１面を上に位置させた場合の導光板の斜視図であり、図６（ｂ）は図６（ａ）の導光板を第１面を下に位置させた場合の導光板の斜視図であり、図６（ｃ）は図６（ａ）の線Ａ−Ａ’で切断した断面図であり、図６（ｄ）は図６（ａ）の線Ｂ−Ｂ’で切断した断面図である。
【図７】本実施形態に関わる液晶装置の導光板と第１接着層との位置関係を説明するための図である。
【図８】第１実施形態に係る配線基板の概略平面図である。
【図９】第１実施形態に係る液晶装置の裏面からの（ａ）は配線基板のＬＥＤのランド配線の組み立て前の状態を示し、（ｂ）は配線基板のＬＥＤのランド配線の組み立て後の状態を示した概略斜視図である。
【図１０】本発明に係る電子機器の一実施形態であるモバイル型コンピュータを示す斜視図である。
【図１１】本発明に係る電子機器の他の実施形態である携帯電話機を示す斜視図である。
【図１２】本発明に係る電子機器の他の実施形態であるディジタルウォッチを示す斜視図である。
【図１３】本発明に係る電子機器の他の実施形態であるディジタルスチルカメラを示す斜視図である。
【図１４】本発明に係る電子機器の他の実施形態であるタッチパネルを備えた機器を示す斜視図である。
【図１５】本発明に係る電子機器の他の実施形態である電卓を備えた機器を示す斜視図である。
【図１６】本発明に係る電子機器の他の実施形態である液晶テレビを備えた機器を示す斜視図である。
【図１７】本発明に係る電子機器の他の実施形態であるプロジェクタを備えた機器を示す断面図である。
【符号の説明】
１…液晶装置
６…反射シート
１０…回路基板
１１…連結基板
１１ａ…配線
１２…接続基板
１３…第１接続部
１４…第２接続部
１５…駆動部
１６…本体部
１７…本体基板
２０…外壁
２０ａ…面
２０ｂ…面
２１…底面部
２２…内壁
２２ｂ…下面
２２ａ…上面
２２ｃ…内面
２２ｄ…反射シート
２３…窓部
２４…装着部
２５…凹部
３５…フレキシブル基板
４０…カラーフィルタ基板
４５…アレイ基板
７３…クリアランス領域
７４…表示画素領域
８０…ケース
１００…液晶パネル
１１０…バックライト
１１１…ＬＥＤ
１１７…衝撃吸収部材
１１７ａ…上面
１１７ｂ…下面
１１７ｃ…接着層
１１７ｄ…接着層
２１０…導光板
２１３…接着層
３１０…パーソナルコンピュータ
３１１…携帯電話機
３１２…ディジタルウォッチ
３１３…ディジタルスチルカメラ
３１４…機器
３１５…電卓
３１６…液晶テレビ
３１７…プロジェクタ
【図１】
0003997824.tif 000002
【図２】
0003997824.tif 000003
【図３】
0003997824.tif 000004
【図４】
0003997824.tif 000005
【図５】
0003997824.tif 000006
【図６】
0003997824.tif 000007
【図７】
0003997824.tif 000008
【図８】
0003997824.tif 000009
【図９】
0003997824.tif 000010
【図１０】
0003997824.tif 000011
【図１１】
0003997824.tif 000012
【図１２】
0003997824.tif 000013
【図１３】
0003997824.tif 000014
【図１４】
0003997824.tif 000015
【図１５】
0003997824.tif 000016
【図１６】
0003997824.tif 000017
【図１７】
0003997824.tif 000018